(57)【要約】【課題】サック室での燃料流れの運動エネルギーの減少を抑制させ、高貫徹力を実現するとともに微粒化を促進できる噴射ノズルを提供する。【解決手段】燃料噴射ノズル１０は、燃料通路２４および燃料通路２４の燃料の流れ方向下流側に、かつ同軸上に配置され、燃料通路２４に向って開口する凹状に形成されたサック室２８とを有するノズルボディ２０と、燃料通路２４内に進退可能に配置され、燃料通路２４の通路壁２４ａに離着座することにより、噴孔３０からの燃料噴射・非噴射を行うニードル弁４０とを備える。ニードル弁４０の先端部４８は、サック室２８に突入する第二テーパ面５２を有している。一方、サック室２８の底部２８ａにはニードル弁４０に向って突出する突起部２８ｄが形成されている。突起部２８ｄは、ニードル弁４０がシート面２４ｂから離座しているときは常に、第二テーパ面５２の延長面５４と交わっている。【選択図】図４
2011153548.tif 000002
【特許請求の範囲】
【請求項１】
燃料を噴孔より噴射する噴射ノズルにおいて、
筒状に形成され、軸方向に延び、燃料を流す燃料通路、前記燃料通路内の燃料の流れ方向下流に、かつ前記燃料通路と同軸上に配置され、前記燃料通路に向かって開口する凹状に形成されたサック室を有し、前記噴孔が前記サック室に開口するように設けられたノズルボディと、
前記燃料通路内において、前記燃料通路の軸方向に沿って進退することにより、前記燃料通路を形成する通路壁に離着座し、前記燃料通路と前記サック室との連通および遮断を行うニードル弁と、を備え、
前記ニードル弁の前記噴孔側の先端部は、少なくとも一部が前記サック室に突入され、前記噴孔に向かうほど前記ニードル弁の径が縮小するような縮径面を有し、
前記サック室の前記ニードル弁の前記先端部と対向する底部は、前記ニードル弁に向かって突出する突起部を有し、
前記ニードル弁が前記通路壁から離座しているときは常に、前記縮径面を前記突起部に向って延長させた延長面と前記突起部とが交わっていることを特徴とする噴射ノズル。
【請求項２】
前記延長面と、前記突起部における前記延長面と交差する部位の面のそれぞれの突起部に対して外周側に位置する面にて形成される角度が鈍角となっていることを特徴とする請求項１に記載の噴射ノズル。
【請求項３】
前記突起部と、前記突起部を外周側から囲んでいる前記サック室の内周面との間に位置する前記サック室の前記底部の形状が、凹形曲面となっていることを特徴とする請求項１または２に記載の噴射ノズル。
【請求項４】
前記縮径面の内周側には、前記突起部に向って開口し、前記突起部の頂部を収容可能な凹部が形成されていることを特徴とする請求項１から３のいずれか一項に記載の噴射ノズル。
【請求項５】
前記凹部の内壁面が、前記突起部に当接することにより、前記ニードル弁の進退方向とは交差する方向への前記ニードル弁の移動を規制する規制部となっていることを特徴とする請求項４に記載の噴射ノズル。
【発明の詳細な説明】
【技術分野】
【０００１】
本発明は、噴射ノズルに関し、特に、内燃機関の燃焼室に燃料を噴射する噴射ノズルに関する。
【背景技術】
【０００２】
従来、ニードル弁の先端と噴孔との間にボディの内壁にて形成される空間を有する燃料噴射弁において、当該空間の当該ニードル弁と対向する位置より当該ニードル弁に向って突出する突起部を有する燃料噴射弁が知られている（特許文献１を参照）。
【０００３】
この燃料噴射弁では、当該空間の底部において、当該突起部の周囲に噴孔が形成されている。この燃料噴射弁では、ニードル弁が弁座から離座すると、ニードル弁の外壁とボディの内壁との間に形成される燃料通路から当該空間に燃料が流入する。当該空間に流入した燃料は、当該突起部の側面に沿って流れ、底部に形成されている噴孔に供給される。特許文献１によれば、このような燃料噴射弁によれば、当該空間に流入した燃料を噴孔に導いているため、当該空間内での燃料の乱れを抑制できるとしている。
【先行技術文献】
【特許文献】
【０００４】
【特許文献１】特開平７−３３２２０１号公報
【発明の概要】
【発明が解決しようとする課題】
【０００５】
ここで、上記燃料噴射弁のニードル弁の先端は、ニードル弁の中心軸に向って傾斜するテーパ面を有している。ニードル弁が弁座から離座し、燃料が空間に流入する際、燃料は、テーパ面に沿って流れる性質がある。このような形状のニードル弁では、上述したようにニードル弁が弁座から離座すると、ニードル弁の外周側に形成されている燃料通路内の燃料が、ニードル弁の中心軸の延長線上に向って流れ込む。上記特許文献１では、空間の底部に形成された突起部によって、噴孔に燃料を滑らかに導くことができるとしているが、上述したように燃料はニードル弁のテーパ面に沿って流れる。
【０００６】
上記燃料噴射弁では、ニードル弁のテーパ面を突起部に向かって延長させた延長面は、ニードル弁が弁座に着座している状態で突起部の側面と交わっていない。このように、当該延長面と突起部の側面とが交わっていないと、ニードル弁が弁座から離座したとき、テーパ面に沿って流れる燃料同士が、突起部の上方において衝突する。この燃料の衝突により、燃料流れが持つ運動エネルギーが減少してしまう。この運動エネルギーが減少すると、噴孔から噴射される燃料の貫徹力が低下してしまい、微粒化の促進効果も低下する。
【０００７】
本発明は、上述の問題点に鑑みてなされたものであって、その目的は、サック室での燃料流れの運動エネルギーの減少を抑制させ、高貫徹力を実現するとともに微粒化を促進できる噴射ノズルを提供することである。
【課題を解決するための手段】
【０００８】
請求項１に記載の発明は、燃料を噴孔より噴射する噴射ノズルにおいて、
筒状に形成され、軸方向に延び、燃料を流す燃料通路、燃料通路内の燃料の流れ方向下流に、かつ燃料通路と同軸上に配置され、燃料通路に向かって開口する凹状に形成されたサック室を有し、噴孔がサック室に開口するように設けられたノズルボディと、
燃料通路内において、燃料通路の軸方向に沿って進退することにより、燃料通路を形成する通路壁に離着座し、燃料通路とサック室との連通・遮断を行うニードル弁と、を備え、
ニードル弁の噴孔側の先端部は、少なくとも一部がサック室に突入され、噴孔に向かうほどニードル弁の径が縮小するような縮径面を有し、サック室のニードル弁の先端部と対向する底部は、ニードル弁に向かって突出する突起部を有し、ニードル弁が通路壁から離座しているときは常に、縮径面を突起部に向って延長させた延長面と突起部とが交わっていることを特徴としている。
【０００９】
本発明では、ニードル弁が燃料通路内を当該通路の軸方向に沿って後退し、通路壁から離座すると、ニードル弁の周囲よりサック室に向って燃料が流れる。そして、サック室に流入した燃料は噴孔に流入し、外部に噴射される。ここで、本発明のニードル弁の噴孔側の先端部は、縮径面を有しているため、ニードル弁が通路壁から離座すると、燃料通路内の当該縮径面側の燃料は、この縮径面に沿って流れる。本発明では、サック室の底部に、からニードル弁に向って突出する突起部が設けられている。そして、さらに、ニードル弁が離座しているときは常に、当該縮径面の延長面と突起部とが交わるようになっている。このようにサック室内が構成されているため、当該縮径面に沿い、サック室に流入する燃料は、流入する燃料同士が衝突することなく、突起部の側面に沿って突起部の外周側に流れる。サック室に流入した燃料は、上述したように流れるため、ニードル弁の中心軸の延長線上に流れ込む燃料同士の突起部の上方での衝突が抑制されるのである。このように、サック室に流入する燃料同士の衝突が抑制されるため、衝突することによる燃料流れが持つ運動エネルギーの減少が抑制される。このようにして、本発明では、燃料同士が衝突することによる燃料流れが持つ運動エネルギーの減少を抑制しているため、従来技術のものと比較して、高貫徹力を実現するとともに微粒化を促進できる噴射ノズルを提供することができる。
【００１０】
なお、請求項における縮径面は、ニードル弁の中心軸に向って傾斜する直線を当該中心軸を中心に回転させることによって形成される円錐状のテーパ面や、当該中心軸から離れる方向に突き出る凸形の曲線を当該中心軸を中心に回転させることによって形成される凸形曲面や、当該中心軸に向って凹む凹形の曲線を当該中心軸を中心に回転させることによって形成される凹形曲面を含む。
【００１１】
請求項２に記載の発明は、延長面と、突起部における延長面と交差する部位の面のそれぞれの突起部に対して外周側に位置する面にて形成される角度が鈍角となっていることを特徴としている。
【００１２】
本発明では、ニードル弁の延長面と突起部における延長面と交差する部位の面のそれぞれの突起部に対して外周側に位置する面にて形成される角度が鈍角となっているため、サック室に流入した燃料を突起部の外周側に誘導することができる。このため、突起部上方での燃料同士の衝突の回避をより確実とすることができる。
【００１３】
請求項３に記載の発明は、突起部と、突起部を外周側から囲んでいる前記サック室の内周面との間に位置する前記サック室の前記底部の形状が、凹形曲面となっていることを特徴としている。
【００１４】
本発明では、突起部とサック室の内周面との間に位置するサック室の底部の形状が、凹形曲面となっているので、突起部に沿って流れる燃料を滑らかにサック室の内周面に誘導することができる。このことによれば、燃料流れの方向を転換する際に発生する運動エネルギーの減少を極力抑えることができる。
【００１５】
請求項４に記載の発明は、縮径面の内周側には、突起部に向って開口し、突起部の頂部を収容可能な凹部が形成されていることを特徴としている。
【００１６】
ニードル弁を通路壁から離座させるには、ニードル弁を後退させなければならない。つまり、ニードル弁を突起部から離れる方向に移動させなければならない。このようなニードル弁の動作によると、ニードル弁が通路壁から離座する方向に後退し、ストッパなどに当接するなどして、最も突起部から離れた位置である最大リフト位置に達したとき、ニードル弁の縮径面の延長面と突起部との交わらない状態が発生するおそれがある。
【００１７】
本発明では、縮径面の内周側に突起部に向って開口し、突起部の頂部を収容可能な凹部が形成されている。この構成によれば、ニードル弁が通路壁に着座している状態において、縮径面の延長面が交差する位置を、極力サック室の底部に近づけることができる。よって、ニードル弁が最大リフト位置に達したときでも縮径面の延長面と突起部とを交わらせることが可能となる。
【００１８】
請求項５に記載の発明は、凹部の内壁面が、突起部に当接することにより、ニードル弁の進退方向とは交差する方向へのニードル弁の移動を規制する規制部となっていることを特徴としている。
【００１９】
ニードル弁が進退方向と交差する方向へニードル弁が移動すると、ニードル弁の外壁と燃料通路の通路壁との間隔が不均一となる。当該間隔が不均一となると、突起部の周囲に流入する燃料の量も不均一となり、噴孔から噴射される燃料噴射量も不均一となってしまう。
【００２０】
本発明では、縮径面の内周側に形成されている凹部の内壁面が、ニードル弁の進退方向と交差する方向への移動を規制する規制部となっているため、ニードル弁の径方向への移動を規制することができる。これによれば、上記間隔が不均一となることが抑えられ、噴孔から噴射される燃料噴射量の不均一を抑制することができる。
【図面の簡単な説明】
【００２１】
【図１】本発明の位置実施形態による燃料噴射ノズルの全体構成を示した断面図である。
【図２】燃料噴射ノズルの要部を拡大した断面図である。
【図３】燃料噴射ノズルのニードル弁の先端部付近を拡大した断面図であり、ニードル弁の当接部がシート面に着座している状態を示す図である。
【図４】ニードル弁の当接部がシート面から離座し、ニードル弁が最大リフト位置に達している状態を示す図である。
【図５】ニードル弁が径方向にずれた状態を示す図である。
【発明を実施するための形態】
【００２２】
以下、本発明の一実施形態を図面に基づいて説明する。図１は、燃料噴射ノズル１０の全体構成を示した断面図である。図２は、燃料噴射ノズル１０の要部を拡大した断面図である。燃料噴射ノズル１０は、図示しない多気筒ディーゼルエンジンなどの内燃機関の各気筒に対応して搭載される。燃料噴射ノズル１０は、図示しない高圧燃料ポンプ（列型燃料噴射ポンプ、分配型燃料噴射ポンプ、高圧サプライポンプなど）の加圧室内で加圧されて高圧化された高圧燃料を、直接各気筒の燃焼室内に噴射する形態のものである。
【００２３】
この燃料噴射ノズル１０は、ノズルボディ２０、ニードル弁４０から構成されており、ノズルボディ２０に高圧燃料を供給するノズルホルダ（図示しない）に取付けられている。ノズルホルダは、ニードル弁４０を駆動する駆動部（図示しない）を有する。
【００２４】
ノズルボディ２０は、例えば炭素鋼などの金属材料によって、筒状に形成されている。ノズルボディ２０は、ガイド孔２２、燃料通路２４、サック室２８、噴孔３０および高圧燃料供給路３２を有する。
【００２５】
ガイド孔２２は、ニードル弁４０を摺動可能に支持するノズルボディ２０の軸方向に沿って開けられた孔である。燃料通路２４は、ガイド孔２２と同軸上に配置され、高圧燃料をサック室２８に向けて流す通路である。燃料通路２４は、筒孔状に形成され、ノズルボディ２０の軸方向に沿っている。
【００２６】
サック室２８は、燃料通路２４内を流れる燃料の流れ方向下流に、かつ燃料通路２４と同軸上に配置され、燃料通路２４に向って開口する凹状に形成され、燃料通路２４からの高圧燃料を一旦溜める空間である。
【００２７】
噴孔３０は、サック室２８とノズルボディ２０の外部とを連通する孔であり、サック室２８に溜まった燃料を外部に噴射する。本実施形態では、噴孔３０は四つ設けられている。噴孔３０の入口側の開口部３０ａは、サック室２８の内周面２８ｂに開けられている。さらに、噴孔３０の入口側開口部３０ａは、ノズルボディ２０の軸方向において同一高さに開けられている。
【００２８】
また、燃料通路２４には、ガイド孔２２側の端部には、通路壁２４ａを径方向外側に向って凹ませた燃料溜り室２６が設けられている。この燃料溜り室２６は燃料通路２４の中心軸の周りを囲むように環状に形成されている。燃料溜り室２６と燃料通路２４とは連通している。
【００２９】
高圧燃料供給路３２は、燃料溜り室２６にノズルホルダに供給された高圧燃料を供給する通路である。高圧燃料供給路３２内の高圧燃料は、燃料溜り室２６を通じて燃料通路２４に流入する。
【００３０】
燃料通路２４におけるサック室２８側の端部の通路壁２４ａには、サック室２８に向うにしたがい、燃料通路２４の径が縮小する円錐状のシート面２４ｂが形成されている。このシート面２４ｂに、ニードル弁４０の当接部５２ａが着座する。
【００３１】
ニードル弁４０は、例えば炭素鋼などの金属材料によって、円柱状に形成されている。ニードル弁４０は、摺動部４２、受圧面４４、円柱部４６、先端部４８を有する。これらの部位４２、４４、４６、および４８は、同軸上に配置されている。
【００３２】
摺動部４２は、ガイド孔２２との間に微小の隙間を形成する。これにより、ニードル弁４０は燃料通路２４内において、燃料通路２４の軸方向に沿って進退できる。受圧面４４は、燃料溜り室２６内の燃料圧力が作用する位置に設けられ、この面４４に高圧燃料の燃料圧力が作用することにより、ニードル弁４０に後退方向、つまり図中の上方向に向う推力を発生させるように形成されている。円柱部４６は、その下方に設けられる先端部４８とを接続する部位である。この円柱部４６の外径は、燃料通路２４の内径および受圧面４４の噴孔３０側の部位の外径よりも小さい。円柱部４６の外周壁と燃料通路２４の通路壁２４ａとの間には、燃料溜り室２６に流入した高圧燃料をサック室２８に向って流すことができる隙間が形成される。この隙間は円環状となっている。
【００３３】
先端部４８は、円柱部４６の噴孔３０側の端部に設けられる第一テーパ面５０、と第一テーパ面５０のさらに噴孔３０側に設けられる第二テーパ面５２を有する。第一、第二テーパ面５０、５２は、噴孔３０に向うほどニードル弁４０の径が縮小するような縮径面である。本実施形態の第一、第二テーパ面５０、５２は、噴孔３０に向うほどニードル弁４０の中心軸に向って傾斜する直線を、当該中心軸を中心に回転させることにより形成される円錐状の面である。第二テーパ面５２の当該中心軸に対する傾斜角度は、第一テーパ面５０の傾斜角度よりも大きい。第一テーパ面５０と第二テーパ面５２との間に、燃料通路２４に形成されたシート面２４ｂに当接する円環状の当接部５２ａが形成されている。第二テーパ面５２の噴孔３０側の端部は、サック室２８に突入されている。
【００３４】
ニードル弁４０が前進（図中、下方に移動）することにより、当接部５２ａがシート面２４ｂに着座する。これにより、燃料通路２４とサック室２８との連通が遮断されるため、サック室２８への燃料の供給が断たれる。このため、噴孔３０からの燃料噴射が停止する。
【００３５】
ニードル弁４０が後退（図中、上方に移動）することにより、当接部５２ａがシート面２４ｂから離座する。これにより、燃料通路２４とサック室２８とが連通するため、サック室２８へ燃料が供給される。その後、噴孔３０から燃料が噴射される。
【００３６】
なお、ノズルホルダは図示しないストッパを備えており、ニードル弁４０は、シート面２４ｂから離れ、所定距離後退し、当該ストッパに当接すると、離座方向への移動が停止する。このときのニードル弁４０の位置が、ニードル弁４０の最大リフト位置となる。
【００３７】
（特徴部分）
以上、燃料噴射ノズル１０の構成および作動について説明した。次に、本実施形態の特徴部分について説明する。
【００３８】
図３は、燃料噴射ノズル１０のニードル弁４０の先端部４８付近を拡大した断面図であり、ニードル弁４０の当接部５２ａがシート面２４ｂに着座している状態を示している。図４は、ニードル弁４０の当接部５２ａがシート面２４ｂから離座し、ニードル弁４０が最大リフト位置に達している状態を示している。
【００３９】
ニードル弁４０の先端部４８と対向するサック室２８の底部２８ａは、先端部４８に向って突出する突起部２８ｄを有する。突起部２８ｄの側面２８ｆは、ニードル弁４０に向かうほど径が縮小するような面となっている。突起部２８ｄの縦断面の形状は、図３に示すように放物線状となっている。突起部２８ｄは、突起部２８ｄの軸線とニードル弁４０の中心軸線とが同軸上に並ぶように配置されている。
【００４０】
また、突起部２８ｄと、サック室２８における突起部２８ｄを外周側から囲んでいる内周面２８ｂとの間に位置する底部２８ａの形状が凹形曲面となっている。突起部２８ｄの軸線上に位置し、底部２８ａから最も離れた位置に設けられている突起部２８ｄの頂部２８ｅの表面は、球面となっている。
【００４１】
本実施形態では、サック室２８の内周面２８ｂは、ノズルボディ２０の軸線方向に沿った方向に延びている。このため、図３に示すように、内周面２８ｂと第二テーパ面５２とのなす角度θ２は、シート面２４ｂと第二テーパ面５２とのなす角度θ１よりも非常に大きい。
【００４２】
一方、ニードル弁４０の第二テーパ面５２の内周側には、突起部２８ｄの頂部２８ｅに向かって開口する凹部５２ｂが形成されている。この凹部５２ｂは、当該頂部２８ｅの少なくとも一部を収容するように形成されている。頂部２８ｅおよび凹部５２ｂの位置および頂部２８ｅおよび凹部５２ｂの曲率は、図３に示すように、当接部５２ａがシート面２４ｂに着座した状態で、隙間が形成されるように定められる。また、頂部２８ｅの頂点および凹部５２ｂの最深部分は、ニードル弁４０の中心軸線上に配置されることが望ましい。
【００４３】
そして、本実施形態では、ニードル弁４０の第二テーパ面５２および突起部２８ｄの側面２８ｆは、図３に示すように、ニードル弁４０の当接部５２ａがシート面２４ｂに着座している状態では、第二テーパ面５２を突起部２８ｄに向かって延長させた破線で図示する延長面５４と、側面２８ｆとが交わっている。さらに、この延長面５４と側面２８ｆとのなす角度のうち、突起部２８ｄの外周側の角度αは鈍角となっている。
【００４４】
また、本実施形態では、図４に示すように、ニードル弁４０が最大リフト位置に達している状態であっても、図３に示す状態と同様に、第二テーパ面５２の延長面５４と突起部２８ｄの側面２８ｆとが交わっている。そして、さらに、この延長面５４と側面２８ｆとのなす角度のうち、突起部２８ｄの外周側の角度βが鈍角となっている。
【００４５】
次に、燃料噴射ノズル１０が開弁したときのサック室２８内での燃料の流れについて図４を用いて説明する。
【００４６】
ニードル弁４０の当接部５２ａがシート面２４ｂから離座すると、燃料通路２４内の燃料は、図４に示すように、第二テーパ面５２およびシート面２４ｂによって形成される円環状の隙間６０を通じてサック室２８に流入する。図４に示すように、第二テーパ面５２の噴孔３０側の端部はサック室２８に突入しているため、第二テーパ面５２付近の燃料は、矢印で図示するように、第二テーパ面５２に沿って流れる。また、シート面２４ｂ付近の燃料も、矢印で図示するように、シート面２４ｂに沿って流れる。シート面２４ｂを通過した燃料は、その大半が、内周面２８ｂに沿って流れずに、第二テーパ面５２に沿って流れる燃料をほぼ同じ方向に流れる。これは、図３に示すように、内周面２８ｂと第二テーパ面５２とのなす角度θ２がなす角度θ１よりも非常に大きいためである。
【００４７】
サック室２８に流入した燃料は、突起部２８ｄの側面２８ｆに達し、この側面２８ｆによって、燃料の流れ方向が変更される。その後、燃料は、側面２８ｆに沿って流れ、断面円弧状の底部２８ａに向う。底部２８ａに達した燃料は、底部２８ａの形状に沿って流れ、内周面２８ｂに達し、内周面２８ｂに沿って上記隙間６０に向って進む。上記隙間６０に達した燃料は、上記隙間６０より第二テーパ面５２に沿って流れる燃料の流れに乗り、再び突起部２８ｄに向う。このように、サック室２８内では燃料が流れるため、サック室２８に燃料渦が発生する。この燃料渦は、突起部２８ｄを取り囲むように発生する。
【００４８】
ここで、上述したように、隙間６０からサック室２８に流入する燃料は、大半が第二テーパ面５２に沿って流れるため、ニードル弁４０の外周側の燃料がニードル弁４０の中心軸の延長線上に向って流れる。このため、サック室２８内で集まった燃料同士が衝突する可能性がある。従来技術では、上述したように、ニードル弁の先端部に形成されているテーパ面の延長面が突起部の側面と交わっていないため、サック室に流入する燃料同士が、突起部の上方で衝突してしまう。これでは、この衝突により、サック室における燃料流れの運動エネルギーが減少する。このため、噴孔より噴射される燃料の貫徹力が低下してしまい、燃料の微粒化の促進効果も低下する。
【００４９】
これに対し、本実施形態では、図４に示すように、ニードル弁４０が最大リフト位置に達しても、第二テーパ面５２の延長面５４と突起部２８ｄの側面２８ｆとが交わっているため、サック室２８に流入する燃料同士が衝突するのを抑制できる。このため、突起部２８ｄの上方での燃料同士の衝突を抑制することができるため、衝突することによる燃料流れが持つ運動エネルギーの減少を抑制することができる。本実施形態では、ニードル弁４０がシート面２４ｂから離座しているときは常に、第二テーパ面５２の延長面５４と突起部２８ｄとを交わらせる構成を有しているので、燃料同士が衝突することによる燃料流れが持つ運動エネルギーの減少を抑制することができ、従来技術のものと比較して、燃料の高貫徹力を実現することができるとともに、燃料の微粒化を促進することができる。
【００５０】
そして、本実施形態では、図３にて図示する延長面５４と側面２８ｆとのなす角度α、図４にて図示する延長面５４と側面２８ｆとのなす角度βがともに鈍角となっているため、流入した燃料を突起部２８ｄの外周側に誘導することができる。これにより、突起部２８ｄ上方での燃料同士の衝突の回避をより確実とすることができる。また、側面２８ｆによって燃料流れの方向が転換される際に発生する運動エネルギーの減少を極力抑えることができる。
【００５１】
さらに、突起部２８ｄとサック室２８の内周面２８ｂとの間のサック室２８の底部２８ａは断面形状が円弧状となっているため、突起部２８ｄの側面２８ｆに沿って流れる燃料を滑らかに内周面２８ｂに誘導することができる。このことによれば、燃料流れの方向が転換される際に発生する運動エネルギーの減少を極力抑えることができる。
【００５２】
本実施形態のように、ニードル弁４０を後退させて、つまりニードル弁４０を突起部２８ｄから離れる方向に移動させて、燃料噴射ノズル１０を開弁させるような形態の燃料噴射ノズルでは、当接部５２ａがシート面２４ｂに着座しているときに、第二テーパ面５２の延長面５４と突起部２８ｄの側面２８ｆとが交わっていても、ニードル弁４０が最大リフト位置に達したとき延長面５４と側面２８ｆとが交わらない状態が発生するおそれがある。これでは、サック室２８に流入する燃料同士の衝突を回避できない。
【００５３】
これに対し、本実施形態では、図３、図４に示すように、第二テーパ面５２の内周側に、突起部２８ｄの頂部２８ｅを収容可能な凹部５２ｂが形成されている。この構成によれば、当接部５２ａがシート面２４ｂに着座している状態において（図３を参照）、延長面５４が交差する位置を、極力サック室２８の底部２８ａに近づけることができる。よって、ニードル弁４０が最大リフト位置に達したときでも延長面５４と側面２８ｆとを交わらせることが可能となる。
【００５４】
図５の実線にて図示するように、ニードル弁４０は軸方向に非常に長いものであるため、ガイド孔２２でニードル弁４０の摺動部４２を支持していても、ニードル弁４０は進退方向と直交する方向、つまり、ニードル弁４０の中心軸と直交する方向に移動する可能性がある。なお、図５の破線で示すニードル弁４０は、ニードル弁４０の中心軸がノズルボディ２０の中心軸と一致している状態を示している。
【００５５】
図５に示すように、ニードル弁４０が径方向に移動すると、隙間６０の間隔が周方向で異なる。これでは、サック室２８に流入する燃料の量が周方向で不均一となり、噴孔３０から噴射される燃料噴射量も不均一となってしまう。
【００５６】
これに対し、本実施形態では、図５に示すように、ニードル弁４０の凹部５２ｂの内壁面が、ニードル弁４０が径方向に移動すると突起部２８ｄの側面２８ｆに当接する規制部５２ｃとなっている。この規制部５２ｃによれば、ニードル弁４０が過度に径方向にずれることを抑制することができため、燃料噴射量の不均一を軽減することができる。
【００５７】
（その他の実施形態）
以上、本発明の複数の実施形態について説明したが、本発明は、上記実施形態に限定して解釈されるものではなく、その要旨を逸脱しない範囲内において種々の実施形態に適用することができる。
【００５８】
例えば、突起部２８ｄの形状を断面矩形のものとしても良い。なお、この場合、ニードル弁４０に形成される凹部５２ｂの形状も断面矩形のものとするのが好ましい。
【００５９】
また、少なくとも第二テーパ面５２部分の形状を第二テーパ面５２に代えて、ニードル弁４０の中心軸から突き出るような凸形の曲線を当該中心軸を中心に回転させることによって形成される凸形曲面としてもよいし、当該中心軸に向って凹む凹形の曲線を当該中心軸を中心に回転させることによって形成される凹形曲面としてもよい。なお、第二テーパ面５２部分の形状を凸形曲面や凹形曲面とした場合、第１実施形態の延長面５４に相当する延長面は、各曲面の噴孔３０側の端部における接線を含む面となる。
【００６０】
また、上記実施形態では、噴孔３０の入口側開口部３０ａはサック室２８の内周面２８ｂに設ける例で説明したが、入口側開口部３０ａの設置位置はこの場所に特定されない。サック室２８と外部とを連通する噴孔３０であれば、当該開口部３０ａはどこに設けても良い。例えば、サック室２８の底部２８ａに当該開口部３０ａを設けても良い。
【符号の説明】
【００６１】
１０  燃料噴射ノズル、２０  ノズルボディ、２２  ガイド孔、２４  燃料通路、２４ａ  通路壁、２４ｂ  シート面、２６  燃料溜り室、２８  サック室、２８ａ  底部、２８ｂ  内周面、２８ｄ  突起部、２８ｅ  頂部、２８ｆ  側面、３０  噴孔、３０ａ  入口側開口部、３２  高圧燃料供給路、４０  ニードル弁、４２  摺動部、４４  受圧面、４６  円柱部、４８  先端部、５０  第一テーパ面、５２  第二テーパ面、５２ａ  当接部、５２ｂ  凹部、５２ｃ  規制部、５４  延長面、６０  隙間
【図１】
2011153548.tif 000003
【図２】
2011153548.tif 000004
【図３】
2011153548.tif 000005
【図４】
2011153548.tif 000006
【図５】
2011153548.tif 000007